(57)【特許請求の範囲】
【請求項１】
庫内の空間における空気調和を行う複数の空調冷熱機器が設置された、荷物を保管する倉庫の管理を行う倉庫管理装置であって、
前記空間が幅方向、高さ方向および奥行き方向に分けられた複数の区画の、前記区画毎の温度を検出する複数の庫内温度センサと、
前記空調冷熱機器を制御する機器制御部、および前記庫内温度センサが検出する温度に基づいて前記区画の値打ち、等級または値段を表す価値を判断する価値判断部を有する制御装置と
を備える倉庫管理装置。
【請求項２】
庫内の空間における空気調和を行う複数の空調冷熱機器が設置された、荷物を保管する倉庫の管理を行う倉庫管理装置であって、
前記空間が幅方向、高さ方向および奥行き方向に分けられた複数の区画の、前記区画毎の温度を検出する複数の庫内温度センサと、
前記空調冷熱機器を制御する機器制御部、および前記庫内温度センサが検出する温度に基づいて前記区画価値を判断する価値判断部を有する制御装置とを備え、
前記価値判断部は、設定期間における前記庫内温度センサが検出する温度の最高温度と最低温度とに基づき、温度変化の少なさを基準として、前記区画の前記価値を判断する倉庫管理装置。
【請求項３】
前記価値判断部は、前記区画の温度が変化したときの、前記区画に設定された目標温度への戻りの速さを基準として、前記区画の前記価値を判断する請求項１または請求項２に記載の倉庫管理装置。
【請求項４】
前記制御装置は、前記区画の前記価値に基づいて課金の額を決定する課金決定部をさらに有する請求項１〜請求項３のいずれか一項に記載の倉庫管理装置。
【請求項５】
前記制御装置の前記機器制御部は、前記倉庫内に設置され、前記空調冷熱機器からの空気の送風方向または風量を変更する送風ユニットを制御する請求項１〜請求項４のいずれか一項に記載の倉庫管理装置。
【請求項６】
前記価値判断部は、前記機器制御部が行う前記空調冷熱機器または前記送風ユニットの制御により得られる前記区画の前記価値を判断する請求項５に記載の倉庫管理装置。
【請求項７】
前記制御装置は、
前記倉庫に搬入される荷物を判定する荷物判定部と、
前記区画の前記価値に基づいて、前記荷物判定部が判定した荷物を保管する前記区画を決定する保管決定部と
を有する請求項１〜請求項６のいずれか一項に記載の倉庫管理装置。
【請求項８】
前記庫内温度センサと共に設けられ、発光表示を行う発光表示装置を備え、
前記保管決定部は、決定した前記区画に対応する前記発光表示装置に発光表示させる請求項７に記載の倉庫管理装置。
【請求項９】
前記庫内温度センサと共に設けられ、前記庫内温度センサに電力供給するユニット側電源装置を有する請求項１〜請求項８のいずれか一項に記載の倉庫管理装置。
【請求項１０】
前記庫内温度センサと共に設けられ、発光表示を行う発光表示装置を備え、
前記発光表示装置は、前記ユニット側電源装置の劣化を報知する発光を行う請求項９に記載の倉庫管理装置。
【請求項１１】
前記制御装置は、発光表示装置から発する光の強度から、前記ユニット側電源装置の劣化を予測する劣化予測部を有する請求項９または請求項１０に記載の倉庫管理装置。
【請求項１２】
請求項１〜請求項１１のいずれか一項に記載された倉庫管理装置と、
複数台の前記倉庫管理装置と通信接続され、前記倉庫管理装置から送られる信号に含まれる倉庫管理に係るデータを記憶するデータ記憶装置および前記倉庫管理に係るデータを解析する解析制御装置を有する集中倉庫管理装置と
を備える倉庫管理システム。
【請求項１３】
前記解析制御装置は、複数の前記倉庫における前記倉庫管理装置が有する前記倉庫管理に係るデータに基づいて、前記倉庫間の比較を行い、それぞれの前記倉庫全体に係る解析を行う請求項１２に記載の倉庫管理システム。
【請求項１４】
前記解析制御装置は、複数の前記倉庫における前記倉庫管理装置が有する前記倉庫管理に係るデータに基づいて、前記倉庫に設置された空調冷熱機器の入れ替えに係る判定を行う入替判定部を備える請求項１２または請求項１３に記載の倉庫管理システム。
【請求項１５】
前記解析制御装置は、複数の前記倉庫における前記倉庫管理装置が有する前記倉庫管理に係るデータに基づいて、前記倉庫に設置され、温度を検出する複数の庫内温度センサに電力供給するユニット側電源装置の劣化を予測する集中側劣化予測部を有する請求項１２〜請求項１４のいずれか一項に記載の倉庫管理システム。
【発明の詳細な説明】
【技術分野】
【０００１】
この発明は、倉庫を管理する倉庫管理装置および倉庫管理システムに関するものである。特に、倉庫内の空気調和に係る制御の管理に係るものである。
【背景技術】
【０００２】
食料品、貴重品などの荷物を保管する倉庫では、倉庫内の温度、湿度などの管理を行う必要がある。このため、庫内の空間を空気調和する空調冷熱機器が倉庫内に設置され、荷物の冷却などを行っている（たとえば、特許文献１参照）。
【先行技術文献】
【特許文献】
【０００３】
【特許文献１】特開２０１４−１５３０１７号公報
【発明の概要】
【発明が解決しようとする課題】
【０００４】
ここで、実際の倉庫内の空間では、温度ムラが発生することが多い。これには、（ａ）倉庫における荷物の運び入れ、運び出しなどの作業により、扉が開閉されることが多い、（ｂ）ユニットクーラ、柱、棚などの位置が異なる、（ｃ）倉庫の形状が直方体ではない場合があるなどの理由がある。【０００５】
このため、倉庫内において、温度変化が大きくなる場所など、荷物の保管環境にとって、よいとはいえない保管場所がある。逆に、倉庫内において、保管環境がよい保管場所がある。このように、荷物の保管環境に基づいて、倉庫内の保管場所について価値付けを行うことができる。【０００６】
この発明は、上記のような課題を背景としてなされたもので、倉庫内の場所に対して価値を付け、価値に基づく温度管理などを行うことができる倉庫管理装置および倉庫管理システムを提供することを目的とする。
【課題を解決するための手段】
【０００７】
この発明に係る倉庫管理装置は、庫内の空間における空気調和を行う複数の空調冷熱機器が設置された、荷物を保管する倉庫の管理を行う倉庫管理装置であって、空間が幅方向、高さ方向および奥行き方向に分けられた複数の区画の、区画毎の温度を検出する複数の庫内温度センサと、空調冷熱機器を制御する機器制御部、および庫内温度センサが検出する温度に基づいて区画の値打ち、等級または値段を表す価値を判断する価値判断部を有する制御装置とを備えるものである。
【発明の効果】
【０００８】
この発明によれば、倉庫内の空間を複数の区画に分け、庫内温度センサが検出する温度に基づいて、区画の価値を判断する価値判断部を有するようにしたので、倉庫内の区画に価値を付け、価値に基づいた温度管理を行う倉庫管理装置を得ることができる。
【図面の簡単な説明】
【０００９】
【図１】この発明の実施の形態１に係る倉庫管理システム１０００を示すブロック図である。
【図２】この発明の実施の形態１における冷凍倉庫１００内の庫内温度センサ２１０の配置などについて説明する図である。
【図３】この発明の実施の形態１に係る温度センサユニット２００の構成を示す図である。
【図４】この発明の実施の形態１に係る倉庫管理装置１の構成を示す図である。
【図５】この発明の実施の形態１に係る管理側制御装置１０が行う処理を説明する図である。
【図６】この発明の実施の形態２に係る倉庫管理システム１０００における集中倉庫管理装置５００の構成を示す図である。
【図７】この発明の実施の形態２に係るデータ記憶装置５１０に記憶された倉庫管理に係るデータの一例を示す図である。
【発明を実施するための形態】
【００１０】
以下、発明の実施の形態に係る倉庫管理装置および倉庫管理システムについて、図面などを参照しながら説明する。以下の図面において、同一の符号を付したものは、同一またはこれに相当するものであり、以下に記載する実施の形態の全文において共通することとする。また、図面では各構成部材の大きさの関係が実際のものとは異なる場合がある。そして、明細書全文に表わされている構成要素の形態は、あくまでも例示であって、明細書に記載された形態に限定するものではない。特に構成要素の組み合わせは、各実施の形態における組み合わせのみに限定するものではなく、他の実施の形態に記載した構成要素を別の実施の形態に適用することができる。また、圧力および温度の高低については、特に絶対的な値との関係で高低が定まっているものではなく、装置などにおける状態、動作などにおいて相対的に定まるものとする。また、添字で区別などしている複数の同種の機器などについて、特に区別したり、特定したりする必要がない場合には、添字などを省略して記載する場合がある。
【００１１】
実施の形態１．
図１は、この発明の実施の形態１に係る倉庫管理システム１０００を示すブロック図である。図１に基づいて、倉庫管理システム１０００について説明する。図１に示すように、倉庫管理システム１０００は、対応する冷凍倉庫１００を管理する複数の倉庫管理装置１を有している。倉庫管理装置１は、特に、冷凍倉庫１００内の空気の温度、湿度など、空気調和に関する管理を行う。このため、倉庫管理装置１は、冷凍倉庫１００内の空気調和を行う空調冷熱機器４を制御する。
【００１２】
ここで、実施の形態１の倉庫管理システム１０００においては、複数の冷凍倉庫１００をそれぞれ管理する複数の倉庫管理装置１が、公衆通信回線４００に通信接続されている。また、公衆通信回線４００には、複数の冷凍倉庫１００を集中管理し、各倉庫管理装置１から信号として送られた倉庫管理に係るデータを解析処理する集中倉庫管理装置５００が接続されている。倉庫管理に係るデータは、集中倉庫管理装置５００が有するデータ記憶装置５１０に記憶される。各倉庫管理装置１は、集中倉庫管理装置５００から信号を受信し、処理を行うことができる。
【００１３】
実施の形態１の倉庫管理システム１０００では、冷凍倉庫１００の空気調和を行うため、複数台の空調冷熱機器４および送風ユニット９を有している。図１では、４台の空調冷熱機器４Ａ〜空調冷熱機器４Ｄおよび４台の送風ユニット９Ａ〜送風ユニット９Ｄを有している。各空調冷熱機器４は、熱源ユニット５（熱源ユニット５Ａ〜熱源ユニット５Ｄ）とユニットクーラ６（ユニットクーラ６Ａ〜ユニットクーラ６Ｄ）とを有している。各熱源ユニット５と各ユニットクーラ６とを、冷媒配管７（冷媒配管７Ａ〜冷媒配管７Ｄ）で接続し、冷媒回路を構成している。また、熱源ユニット５とユニットクーラ６との間を機器通信線８（機器通信線８Ａ〜機器通信線８Ｄ）で接続し、信号通信を行うことができる。送風ユニット９は、送風方向および風量を制御して空気を送り出す。このため、ユニットクーラ６から送られる冷たい空気を、冷凍倉庫１００内の特定の場所に送り込むなどすることができる。ここで、実施の形態１の送風ユニット９は、光を検出し、検出した光に応じた信号を倉庫管理装置１に送る受光装置９１（受光装置９１Ａ〜受光装置９１Ｄ）を有している。ここでは、送風ユニット９が受光装置９１を有しているが、それぞれ独立して設置してもよい。
【００１４】
図２は、この発明の実施の形態１における冷凍倉庫１００内の庫内温度センサ２１０の配置などについて説明する図である。実施の形態１の冷凍倉庫１００では、内部の空間について、幅方向、高さ方向および奥行き方向に複数に分けた区画１０１を形成している。図２では、冷凍倉庫１００を直方体とし、格子状に区画１０１を形成しているが、空間内における区画１０１の形成方法については、特に限定するものではない。冷凍倉庫１００内の棚、段などによって分け、区画１０１を形成するなどしてもよい。
【００１５】
実施の形態１では、冷凍倉庫１００内の複数の区画１０１に対し、各区画１０１に対応して庫内温度センサ２１０が配置される。したがって、冷凍倉庫１００には、幅方向、高さ方向および奥行き方向のそれぞれに、複数個の庫内温度センサ２１０が配置される。庫内温度センサ２１０は、冷凍倉庫１００の天井、側壁、棚などに配置される。
【００１６】
実施の形態１の冷凍倉庫１００では、三次元的に複数の庫内温度センサ２１０を配置し、庫内温度センサ２１０が、それぞれの位置における温度を検出する。このとき、柱、棚などの障害物による温度検出の死角がないように配置する。そして、冷凍倉庫１００内の空間における空気の温度分布を詳細に把握し、解析などを行えるようにする。
【００１７】
図３は、この発明の実施の形態１に係る温度センサユニット２００の構成を示す図である。実施の形態１の温度センサユニット２００は、前述した庫内温度センサ２１０に加え、複数のユニット側表示装置２２０、ユニット側電源装置２３０およびユニット側計時装置２４０およびユニット側制御装置２５０を有している。
【００１８】
複数のユニット側表示装置２２０は、各庫内温度センサ２１０と共に設けられ、一体化している。ユニット側表示装置２２０は、ユニット側制御装置２５０から送られる信号に基づいて発光する発光表示装置である。たとえば、倉庫管理装置１から送られた指示に基づき、冷凍倉庫１００に搬入出する荷物を保管する区画１０１に対応するユニット側表示装置２２０を発光させ、荷物が保管された区画１０１を、作業員に知らせることができる。また、異常な温度を検出した庫内温度センサ２１０に対応するユニット側表示装置２２０を発光させ、温度の異常を知らせることができる。また、庫内温度センサ２１０およびユニット側表示装置２２０は、共通の電池を用いて動作している。冷凍倉庫１００内は、電池の消耗が激しい。ユニット側表示装置２２０は、電池が少なくなるなどして劣化すると、発光表示する光が弱くなり、光の強度が下がる。このため、ユニット側表示装置２２０が発光表示する光により、ユニット側電源装置２３０の劣化を報知することができる。このとき、ユニット側表示装置２２０は、発光色を変更するようにしてもよく、点滅表示を行ってもよい。
【００１９】
ここで、実施の形態１の送風ユニット９は、受光装置９１を有している。そこで、送風ユニット９は、受光により発光された方向を検出し、風を送るようにしてもよい。また、受光装置９１が検出する光に基づいて、後述する劣化予測部１７が、ユニット側電源装置２３０の劣化予測を行うようにしてもよい。また、ユニット側表示装置２２０は、紫外線を発光できるようにしてもよい。ユニット側表示装置２２０が、紫外線を発光することで、カビの発生を防止することができる。
【００２０】
実施の形態１のユニット側電源装置２３０は蓄電池である。冷凍倉庫１００内は、フォークリフト、作業員などの出入りがあるため、線の引き回しが制約される。蓄電池であれば、温度センサユニット２００を動作させる電源線を必要としないので、冷凍倉庫１００内の線を減らすことができる。また、ユニット側計時装置２４０は、時刻のデータを有している。時刻のデータは、庫内温度センサ２１０が検出した温度のデータと関連づけられる。また、温度センサユニット２００を定期的に起動するために用いられる。
【００２１】
ユニット側制御装置２５０は、複数の庫内温度センサ２１０が検出した温度に係る信号を処理する。また、ユニット側制御装置２５０は、温度センサユニット２００全体を制御する。ユニット側制御装置２５０は、ユニット側信号送受信部２５１、ユニット側信号処理制御部２５２、ユニット側電源部２５３およびユニット側データ通信部２５４を有している。
【００２２】
ユニット側信号送受信部２５１は、各庫内温度センサ２１０から送られる検出した温度に係る信号を受信する。また、ユニット側表示装置２２０に指示を含む信号を送信する。ユニット側信号処理制御部２５２は、受信した信号を温度のデータに変換する。このとき、ユニット側計時装置２４０から時刻のデータと関連づける。ユニット側電源部２５３は、ユニット側電源装置２３０からの電力供給を制御し、温度センサユニット２００および庫内温度センサ２１０の電源管理を行う。ユニット側電源部２５３は、ユニット側計時装置２４０の計時に基づいて、温度センサユニット２００を定期的に起動させ、冷凍倉庫１００内の温度を検出する。ユニット側データ通信部２５４は、ユニット側信号処理制御部２５２が処理して得られたデータを含む信号を、倉庫管理装置１に送る。ここで、ユニット側データ通信部２５４は、無線で倉庫管理装置１に信号を送る。このため、冷凍倉庫１００に通信線を敷設する必要がなく、冷凍倉庫１００内の線を減らすことができる。また、ここでは、ユニット側データ通信部２５４が、倉庫管理装置１にデータを送るものとして説明するが、これに限定するものではない。たとえば、冷凍倉庫１００のリモートコントローラ（図示せず）に送るようにしてもよい。
【００２３】
図４は、この発明の実施の形態１に係る倉庫管理装置１の構成を示す図である。次に、倉庫管理装置１について説明する。倉庫管理装置１は、冷凍倉庫１００の管理を行う装置である。倉庫管理装置１は、ここでは、主として、冷凍倉庫１００内の温度に関する管理を行う。
【００２４】
図４に示すように、倉庫管理装置１は、管理側制御装置１０、管理側通信装置２０、管理側入力装置３０、管理側表示装置４０、管理側記憶装置５０および管理側計時装置６０を有している。
【００２５】
管理側通信装置２０は、公衆通信回線４００と管理側制御装置１０との間における信号通信のインターフェースとなる。管理側通信装置２０は、外部の機器から送られた信号を受信し、管理側制御装置１０が処理を行うデータなどを抽出する。また、管理側制御装置１０が処理したデータを信号に含めて、公衆通信回線４００を介して、集中倉庫管理装置５００に送る。
【００２６】
また、管理側入力装置３０は、使用者が入力する指示、設定などのデータを入力信号として管理側制御装置１０に送信する。また、管理側表示装置４０は、管理側制御装置１０から送信される表示信号に基づいて、使用者に対する表示を行う。
【００２７】
管理側記憶装置５０は、管理側通信装置２０が受信した信号に含まれるデータ、管理側入力装置３０に入力された設定に関するデータなど、外部からのデータを含め、管理側制御装置１０が処理を行うために必要となる各種データを、一時的または長期的に記憶する。また、管理側制御装置１０が演算などの処理を行って得られたデータについても、一時的または長期的に記憶する。管理側計時装置６０は、管理側制御装置１０が演算、判定などの処理を行う際に必要となる計時を行う。
【００２８】
管理側制御装置１０は、倉庫内温度判定部１１、価値判断部１２、機器制御部１３、荷物判定部１４、保管決定部１５、課金決定部１６および劣化予測部１７を有している。
【００２９】
倉庫内温度判定部１１は、冷凍倉庫１００内に設置された庫内温度センサ２１０の検出に係る温度の判定を行う。価値判断部１２は、冷凍倉庫１００内の区画１０１について、庫内温度センサ２１０の検出に係る温度に基づいて区画価値を判断する。ここで、区画価値とは、区画１０１に対して、所定の基準に基づいて定められた値打ち、等級、値段などの価値である。ここでは、区画１０１の温度に基づいて価値が定められているものとする。区画価値における基準については、特に限定するものではない。たとえば、前述したように、冷凍倉庫１００内は、温度ムラが大きい。そこで、区画１０１に対して設定された目標温度に対する温度変化が小さいほど、区画価値が高いものとすることができる。また、空調冷熱機器４の停止などによる温度変化があったときに、目標温度へ戻る時間が短く、復旧がはやいなど、荷物に対する保護が厚い区画１０１について、区画価値が高いものとすることができる。
【００３０】
機器制御部１３は、空調冷熱機器４および送風ユニット９の動作を制御する。また、荷物判定部１４は、冷凍倉庫１００内に搬入される荷物について、たとえば、荷物に付されたタグなどから、荷物と関連づけられたデータを読み取り、荷物の大きさ、保冷温度などのデータを取得する。保管決定部１５は、荷物判定部１４が判定した荷物について、冷凍倉庫１００における保管場所となる区画１０１を決定する。そして、前述したように、決定した区画１０１に対応するユニット側表示装置２２０に、発光表示を行わせる指示を送る。ただし、これに限定するものではなく、保管場所の区画１０１を作業員が有する端末などに知らせるようにしてもよい。
【００３１】
課金決定部１６は、区画１０１に保管した荷物に対して課金を行う。ここで、課金決定部１６が、どのように課金を行うかについては、特に限定するものではないが、たとえば、区画１０１の区画価値に基づく課金を行うようにしてもよい。また、温度ムラなどにより、区画価値を維持することが難しいような場合、区画価値の達成率に基づいて、課金を行うようにしてもよい。そして、劣化予測部１７は、受光装置９１からユニット側表示装置２２０の発光に対応した信号が送られると、信号に基づいてユニット側電源装置２３０の劣化を予測する。ここでは、劣化予測部１７は、ユニット側表示装置２２０の発光の強度に基づくユニット側電源装置２３０の劣化予測を行うが、これに限定するものではない。ユニット側電源装置２３０が供給する電力に係る電圧を監視し、電圧が設定されたしきい値以下となった場合に、ユニット側電源装置２３０の劣化または劣化しそうであるということを判定するようにしてもよい。
【００３２】
ここで、管理側制御装置１０は、たとえば、ＣＰＵ（Ｃｅｎｔｒａｌ  Ｐｒｏｃｅｓｓｉｎｇ  Ｕｎｉｔ）などの制御演算処理装置を有するマイクロコンピュータなどで構成されているものとする。また、管理側記憶装置５０は、データを一時的に記憶できるランダムアクセスメモリ（ＲＡＭ）などの揮発性記憶装置（図示せず）およびハードディスク、データを長期的に記憶できるフラッシュメモリなどの不揮発性の補助記憶装置（図示せず）を有している。管理側記憶装置５０には、管理側制御装置１０の各部が行う処理手順などを、プログラムとしたデータを有している。そして、制御演算処理装置がプログラムのデータに基づいて処理を実行して各部の処理を実現する。ただ、これに限定するものではなく、各装置を専用機器（ハードウェア）で構成してもよい。
【００３３】
図５は、この発明の実施の形態１に係る管理側制御装置１０が行う処理を説明する図である。ここでは、価値判断部１２が、区画価値を判断する処理の例を説明する。価値判断部１２は、設定期間における倉庫内温度判定部１１が判定した区画１０１の温度のデータを取得する（ステップＳ１）。ここで、取得するデータについては、冷凍倉庫１００内の空気が安定しているときのデータが多い方が望ましい。
【００３４】
価値判断部１２は、取得した温度のデータから、最高温度と最低温度とを抽出する（ステップＳ２）。そして、価値判断部１２は、最高温度および最低温度が、区画１０１に設定された目標温度±１［℃］に含まれているかどうかを判定する（ステップＳ３）。価値判断部１２は、最高温度および最低温度が、目標温度±１［℃］に含まれていると判定すると、区画１０１が最も区画価値が高い一等地であると判断し（ステップＳ４）、処理を終了する。
【００３５】
一方、価値判断部１２は、最高温度および最低温度が、目標温度±１［℃］に含まれていないと判定すると、目標温度±５［℃］に含まれているかどうかを判定する（ステップＳ５）。価値判断部１２は、最高温度および最低温度が、目標温度±５［℃］に含まれていると判定すると、区画１０１が二等地であると判断し（ステップＳ６）、処理を終了する。そして、価値判断部１２は、最高温度および最低温度が、目標温度±５［℃］に含まれていないと判定すると、区画１０１が三等地であると判断し（ステップＳ７）、処理を終了する。
【００３６】
以上のように、実施の形態１の倉庫管理装置１によれば、冷凍倉庫１００内の空間を複数の区画１０１に分けるようにした。そして、管理側制御装置１０の価値判断部１２が、庫内温度センサ２１０の検出に係る温度に基づいて、区画１０１の区画価値を判断する価値判断部１２を有するようにした。このため、冷凍倉庫１００内を区画１０１毎に価値付けを行うことができ、区画価値に基づいた温度管理を行うことができる。
【００３７】
実施の形態２．
図６は、この発明の実施の形態２に係る倉庫管理システム１０００における集中倉庫管理装置５００の構成を示す図である。実施の形態２では、集中倉庫管理装置５００が行う、冷凍倉庫１００の倉庫管理に係るデータの解析について説明する。集中倉庫管理装置５００が解析を行うことにより、各冷凍倉庫１００の状況を把握し、改善などの提案を行うことができる。図６に示すように、集中倉庫管理装置５００は、データ記憶装置５１０、解析制御装置５２０および解析側通信装置５３０を有している。
【００３８】
データ記憶装置５１０は、前述したように、倉庫管理に係るデータなどを記憶する。また、解析側通信装置５３０は、公衆通信回線４００と解析制御装置５２０との間における信号通信のインターフェースとなる。また、解析制御装置５２０が処理したデータを信号に含めて、公衆通信回線４００を介して、各倉庫管理装置１に送ることができる。
【００３９】
実施の形態２の集中倉庫管理装置５００の解析制御装置５２０は、冷却能力判定部５２１、運営状況判定部５２２、入替判定部５２３および集中側劣化予測部５２４を有している。冷却能力判定部５２１は、ある冷凍倉庫１００について、他の冷凍倉庫１００における倉庫管理に係るデータと比較などして、空調冷熱機器４の冷却能力に関する判定を行う。また、運営状況判定部５２２は、ある冷凍倉庫１００について、他の冷凍倉庫１００における倉庫管理に係るデータと比較などして、運営状況を判定する。さらに、入替判定部５２３は、冷凍倉庫１００内の空調冷熱機器４の入れ替えについて判定処理を行う。また、集中側劣化予測部５２４は、倉庫管理装置１の管理側制御装置１０が有する劣化予測部１７と同様に、ユニット側電源装置２３０の劣化を予測する。
【００４０】
図７は、この発明の実施の形態２に係るデータ記憶装置５１０に記憶された倉庫管理に係るデータの一例を示す図である。図７では、４カ所の冷凍倉庫１００（冷凍倉庫１００Ａ〜冷凍倉庫１００Ｄ）におけるデータが示されている。ここで、実施の形態２では、冷凍倉庫１００内の冷却空間容積、消費電力量、温度安定度、冷却能力、空調冷熱機器４の台数、空調冷熱機器４の型名および製造年、扉開閉回数、設定温度並びに外気平均温度が、パラメータとして示されている。
【００４１】
次に、倉庫管理に係るデータに基づいて、解析制御装置５２０が行う解析および提案処理について説明する。ここで、解析制御装置５２０が行う処理は、一例である。解析制御装置５２０の冷却能力判定部５２１は、データ記憶装置５１０に記憶されたデータに基づいて、各冷凍倉庫１００のデータを比較する。たとえば、冷却能力判定部５２１が、図７に示す冷凍倉庫１００Ａ〜冷凍倉庫１００Ｄのデータを比較することで、冷凍倉庫１００Ａは、他の冷凍倉庫１００と比較して、単位容積当たりの消費電力が大きく、かつ、庫内の温度安定度が悪いと判定する。そこで、温度が安定する区画１０１を多くし、冷凍倉庫１００全体の区画価値を上げるような提案を行うことができる。
【００４２】
また、たとえば、冷却能力判定部５２１が、図７に示す冷凍倉庫１００Ａ〜冷凍倉庫１００Ｄのデータを比較することで、冷凍倉庫１００Ａは、設置されている空調冷熱機器４の台数が少なく、単位容積あたりの冷却能力が低いと判定する。そこで、単位容積当たりの冷却能力を大きくするまたは空調冷熱機器４の台数を増加させるように提案を行うことができる。単位容積当たりの冷却能力および空調冷熱機器４を適切な台数とすることで、効率が向上する。
【００４３】
ここで、たとえば、外気平均温度、設定温度などの前提条件が異なるときは、データの補正を行ってから、冷凍倉庫１００間の比較を行うようにするとよい。
【００４４】
解析制御装置５２０の運営状況判定部５２２についても、データ記憶装置５１０に記憶されたデータに基づいて、各冷凍倉庫１００のデータを比較する。運営状況判定部５２２が、図７に示す冷凍倉庫１００Ａ〜冷凍倉庫１００Ｄのデータを比較することで、冷凍倉庫１００Ａは、扉開閉回数が多いと判定する。そこで、他の冷凍倉庫１００の運営（搬入搬出スケジュールなど）を参考にするような提案を行うことができる。
【００４５】
解析制御装置５２０の入替判定部５２３は、データ記憶装置５１０に記憶されたデータに基づいて、各冷凍倉庫１００のデータを比較する。たとえば、入替判定部５２３は、図７に示すデータを比較し、冷凍倉庫１００Ａは、冷凍倉庫１００Ｂ〜冷凍倉庫１００Ｄに比べて、製造年度が古い空調冷熱機器４が設置されていると判定する。そこで、製造年度が新しい空調冷熱機器４への入れ替えを提案することができる。
【００４６】
解析制御装置５２０の集中側劣化予測部５２４は、データ記憶装置５１０に記憶されたユニット側電源装置２３０の劣化に係るデータを比較し、冷凍倉庫１００に設置されたユニット側電源装置２３０の劣化予測を行う。集中側劣化予測部５２４は、ユニット側電源装置２３０が劣化するまでに経過した時間と、庫内温度センサ２１０が検出した温度と、を関連付けて劣化予測を行うとよい。ユニット側電源装置２３０の蓄電池の劣化は、温度と相関があるためである。これにより、他の冷凍倉庫１００の庫内温度センサ２１０のデータとも比較して、劣化予測を高精度に行うことができる。
【００４７】
ここでは、集中倉庫管理装置５００は、各冷凍倉庫１００でのデータを比較して、倉庫全体の解析を行ったが、これに限定するものではない。集中倉庫管理装置５００は、区画１０１毎のデータに基づいて解析を行うようにしてもよい。そして、区画１０１単位で解析を行うことで、区画１０１単位で改善の提案を行うことができる。たとえば、ある区画１０１について、冷凍倉庫１００内の区画１０１の位置、区画１０１に対応する空調冷熱機器４に関するデータなどを比較して、解析を行う。そして、解析に基づく提案を行うことができる。
【００４８】
以上のように、実施の形態２の倉庫管理システム１０００によれば、集中倉庫管理装置５００の解析制御装置５２０は、管理対象となる複数の冷凍倉庫１００間の倉庫管理に係るデータを解析するようにした。このため、冷凍倉庫１００間を比較することができ、比較によって得られた判定結果に基づいて、区画価値の向上、運営、装置入替などの提案を行うことができる。
【００４９】
実施の形態３．
前述した実施の形態１においては、各冷凍倉庫１００が有する倉庫管理装置１の管理側制御装置１０が、区画価値の判断、課金、ユニット側電源装置２３０の劣化予測などの処理を行ったが、これに限定するものではない。公衆通信回線４００を介して接続されている集中倉庫管理装置５００の解析制御装置５２０が、各管理側制御装置１０が行う処理を、一括して行うようにしてもよい。
【符号の説明】
【００５０】
１，１Ａ〜１Ｄ  倉庫管理装置、４，４Ａ〜４Ｄ  空調冷熱機器、５，５Ａ〜５Ｄ  熱源ユニット、６，６Ａ〜６Ｄ  ユニットクーラ、７，７Ａ〜７Ｄ  冷媒配管、８，８Ａ〜８Ｄ  機器通信線、９，９Ａ〜９Ｄ  送風ユニット、１０  管理側制御装置、１１  倉庫内温度判定部、１２  価値判断部、１３  機器制御部、１４  荷物判定部、１５  保管決定部、１６  課金決定部、１７  劣化予測部、２０  管理側通信装置、３０  管理側入力装置、４０  管理側表示装置、５０  管理側記憶装置、６０  管理側計時装置、９１，９１Ａ〜９１Ｄ  受光装置、１００，１００Ａ〜１００Ｄ  冷凍倉庫、１０１  区画、２００  温度センサユニット、２１０  庫内温度センサ、２２０  ユニット側表示装置、２３０  ユニット側電源装置、２４０  ユニット側計時装置、２５０  ユニット側制御装置、２５１  ユニット側信号送受信部、２５２  ユニット側信号処理制御部、２５３  ユニット側電源部、２５４  ユニット側データ通信部、４００  公衆通信回線、５００  集中倉庫管理装置、５１０  データ記憶装置、５２０  解析制御装置、５２１  冷却能力判定部、５２２  運営状況判定部、５２３  入替判定部、５２４  集中側劣化予測部、５３０  解析側通信装置、１０００  倉庫管理システム。
【図１】
0006972329.tif 000002
【図２】
0006972329.tif 000003
【図３】
0006972329.tif 000004
【図４】
0006972329.tif 000005
【図５】
0006972329.tif 000006
【図６】
0006972329.tif 000007
【図７】
0006972329.tif 000008